(57)【特許請求の範囲】
【請求項１】
筒状体と、該筒状体の外周面から外側に突出するとともに該筒状体の軸方向へ延在する取付リブとを備える竪樋を、外壁に支持固定する竪樋支持具であって、
矩形ブロック状に形成されるとともに、
竪樋支持具の厚さ方向に直交する長辺方向に延びる第１の側部と、前記厚さ方向に直交する短辺方向に延びて前記第１の側部に直交する第２の側部とにそれぞれ、前記取付リブが嵌入可能な嵌入溝を設けて形成され、
前記第１の側部の第１嵌入溝は前記長辺方向に沿って延設され、
前記第２の側部の第２嵌入溝は前記短辺方向に沿って延設されていることを特徴とする竪樋支持具。
【発明の詳細な説明】
【技術分野】
【０００１】
本発明は、住宅などの外壁に取り付けられて、竪樋を支持する竪樋支持具に関する。
【背景技術】
【０００２】
住宅などには、屋根から流れ落ちる雨水を受ける軒樋と、集水器や呼び樋を介して軒樋に接続され、軒樋に集められた雨水を排水管に導くための竪樋とを備えた雨樋が設置されている。竪樋を住宅などの外壁に設置するには、竪樋を外壁に支持、固定するための竪樋支持具を外壁に固定し、この竪樋支持具に竪樋を固定している。
【０００３】
従来より、竪樋支持具としては、竪樋の外周面に巻き回すように取り付けられて竪樋を締め付け保持する環状のバンド部と、このバンド部を外壁に固定する固定部とを備えたものが多用されている。
しかし、この種の竪樋支持具は、竪樋の外周面に環状のバンド部が露出し、外観を損なう場合があるため、近年では、外観を損なうことなく竪樋を固定支持することが可能な竪樋支持具を備えた竪樋の取付構造が提案されている。
【０００４】
例えば、特許文献１に開示された竪樋の取付構造では、竪樋は、外周面から外側に突出し先端に膨出状の係止部を備えるとともに竪樋の軸方向に延在する取付リブが形成されており、住宅などの外壁に固定され、この取付リブが嵌入される嵌入溝が形成された竪樋支持具に固定されることによって住宅などの外壁に支持されている。
【０００５】
この竪樋支持具は、嵌入溝に取付リブが嵌入されることで竪樋を支持しているため、従来の竪樋支持具に設けられているバンド部が不要となり、竪樋を支持している状態において竪樋の背面側に隠れてしまうため、竪樋支持具が露出して外観を損なうことがない。
また、竪樋を住宅などの外壁に取り付けるときには、従来のバンド部を竪樋の外周に巻き回して固定する作業の代わりに、取付リブを嵌入溝に嵌入させる作業を行えばよいため、作業性がよく、効率よく竪樋を取り付けることができる。
【先行技術文献】
【特許文献】
【０００６】
【特許文献１】特開２０００−３４８１１号公報
【発明の概要】
【発明が解決しようとする課題】
【０００７】
竪樋支持具は、竪樋を住宅などの外壁に支持固定するとともに、外壁と竪樋とを所定の間隔に保持している。
そして、住宅などの外壁と竪樋との間隔は一定でないため、この間隔に対応できるように寸法の異なる多種類の竪樋支持具が製造されている。このため、竪樋を住宅などの外壁に取り付ける際には、外壁と竪樋とを所望の間隔に保持可能な竪樋支持具を多種類の中から選択して使用している。
また、多種類の竪樋支持具を使用せずに、竪樋支持具と外壁との間にスペーサを設置して外壁と竪樋とを所望の間隔に調整することもある。
【０００８】
しかしながら、外壁と竪樋との間隔に合わせた竪樋支持具を使用するためには、寸法別に多種類の竪樋支持具を用意する必要があり、竪樋支持具の選択や管理に労力がかかっている。
また、竪樋支持具と外壁との間にスペーサを設置する場合も、スペーサの選択や管理に労力がかかっている。
【０００９】
本発明が解決しようとする課題は、外壁と竪樋との間隔が異なる場合にも、その間隔に応じて竪樋を外壁に支持固定することができる竪樋支持具を提供することにある。
【課題を解決するための手段】
【００１０】
そこで、本発明は、上記課題を解決するために以下の手段を提供している。
【００１１】
請求項１記載の竪樋支持具は、筒状体と、該筒状体の外周面から外側に突出するとともに該筒状体の軸方向へ延在する取付リブとを備える竪樋を、外壁に支持固定する竪樋支持具であって、矩形ブロック状に形成されるとともに、竪樋支持具の厚さ方向に直交する長辺方向に延びる第１の側部と、前記厚さ方向に直交する短辺方向に延びて前記第１の側部に直交する第２の側部とにそれぞれ、前記取付リブが嵌入可能な嵌入溝を設けて形成され、前記第１の側部の第１嵌入溝は前記長辺方向に沿って延設され、前記第２の側部の第２嵌入溝は前記短辺方向に沿って延設されていることを特徴とする。
【発明の効果】
【００１２】
請求項１記載の竪樋支持具においては、矩形ブロック状に形成され、長辺方向に延びる第１の側部に設けられた第１嵌入溝と、短辺方向に延びる第２の側部に設けられた第２嵌入溝の２つの嵌入溝のそれぞれに取付リブを嵌入して竪樋を取り付けることができる。そして、竪樋支持具を外壁の設置面に固設する際に、長辺方向に延びる第１の側部に設けられた第１嵌入溝を外側に向けて固設した場合には、竪樋支持具の奥行き寸法（すなわち外壁からの竪樋の出寸法）が前記短辺方向の長さ寸法となり、短辺方向に延びる第２の側部に設けられた第２嵌入溝を外側に向けて固設した場合には、竪樋支持具の奥行き寸法が前記長辺方向の長さ寸法となる。
【００１３】
これにより、外壁と竪樋との間隔が異なる場合においても、竪樋支持具の取り付け向きを変更させることで、一つの竪樋支持具を用いて２種類の出寸法に対応することができ、外壁と竪樋とを所望の間隔に保持した状態で竪樋を外壁に支持固定することができる。このため、２種類の製品を１製品で置き換えることができ、従来のように、寸法別に多種類の竪樋支持具を用意したり、竪樋支持具と外壁との間に設置するスペーサを用意したりする必要がなく、竪樋支持具の選定や管理にかかる労力を軽減させることができる。
【００１４】
また、このとき、第１の側部の第１嵌入溝が前記長辺方向に沿って延設され、第２の側部の第２嵌入溝が前記短辺方向に沿って延設されている。このため、竪樋支持具を外壁の設置面に固設する際、第１の側部に設けられた第１嵌入溝を外側に向けて固設した場合と、短辺方向に延びる第２の側部に設けられた第２嵌入溝を外側に向けて固設した場合とで、ともに竪樋支持具の厚さ方向を外壁の設置面に沿う水平方向に向けて竪樋支持具を取り付けることができる。これにより、竪樋支持具の取り付け向きを変更して出寸法を変えた際に、矩形ブロック状の竪樋支持具の厚さ方向を水平方向の一方向に保つことができるため、外観を損なうことがない。
【図面の簡単な説明】
【００１５】
【図１】本発明の一実施形態に係る竪樋の取付構造（取付リブ、竪樋支持具）を示す斜視図である。
【図２】本発明の一実施形態に係る竪樋の取付構造を示す平面図であり、竪樋支持具の短辺寸法を竪樋の出寸法にして竪樋を取り付けた状態を示す図である。
【図３】本発明の一実施形態に係る竪樋の取付構造を示す平面図であり、竪樋支持具の長辺寸法を竪樋の出寸法にして竪樋を取り付けた状態を示す図である。
【図４】本発明の一実施形態に係る竪樋の取付構造を示す斜視図であり、竪樋支持具の短辺寸法を竪樋の出寸法にして竪樋を取り付けた状態を示す図である。
【図５】本発明の一実施形態に係る竪樋の取付構造を示す斜視図であり、竪樋支持具の長辺寸法を竪樋の出寸法にして竪樋を取り付けた状態を示す図である。
【発明を実施するための形態】
【００１６】
以下、図１から図５を参照し、本発明の一実施形態に係る竪樋支持具について説明する。
【００１７】
図１に示すように、本実施形態の竪樋支持具３は、住宅などの外壁Ｔの壁面Ｔ１に取り付けられて、鉛直方向に軸方向Ｏ１を向けて延在する竪樋１を支持している。本実施形態では、鉛直方向へ互いに所定の間隔をあけるように取り付けられた複数の竪樋支持具３が、１つの竪樋１を支持している。
【００１８】
竪樋１は、図１及び図２に示すように、筒状に形成された筒状体１ｂと、該筒状体１ｂの外周面１ａから筒状体１ｂの径方向外側に突出するとともに筒状体１ｂの軸方向Ｏ１へ延在する取付リブ２とを備えている。
【００１９】
取付リブ２は、図１及び図２に示すように、筒状体１ｂの外周面１ａから径方向外側に延びる軸部４と、軸部４の突出方向先端に設けられ、軸部４を中心に竪樋１の軸Ｏ１直交方向両側に突出して膨出状に形成された係止部５とを備え、断面略Ｔ字状に形成されている。さらに、図２に示すように、取付リブ２が内側に中空部６を備えて形成されている。また、中空状に形成された取付リブ２は、その厚さを竪樋１の厚さと略同等にして形成されている。
【００２０】
竪樋支持具３は、ＡＥＳ、ＡＢＳ、ポリカーボネート、ポリ塩化ビニルなどの樹脂を用い、図１から図３に示すように、矩形ブロック状に形成されている。また、本実施形態の竪樋支持具３は、竪樋１を取り付けるための第１取付部７と第２取付部８の２つの取付部７、８を備えている。そして、第１取付部７は、竪樋支持具３の厚さ方向Ｓ１に直交する長辺方向Ｓ３に延びる第１の側部９に設けられ、第２取付部８は、竪樋支持具３の厚さ方向Ｓ１に直交する短辺方向Ｓ２に延びて第１の側部９に直交する第２の側部１０に設けられている。
【００２１】
第１取付部７は、竪樋支持具３の厚さ方向Ｓ１両側にそれぞれ配設されるとともに、短辺方向Ｓ２外側に向けて突設された一対の第１係止片部１１と、一対の第１係止片部１１の間に形成された第１嵌入溝１２とで構成されている。また、各第１係止片部１１の先端には、竪樋支持具３の厚さ方向Ｓ１内側に突出する一対の係止片１１ａが設けられ、これにより、竪樋支持具３の第１取付部７が断面略Ｃ字状に形成されている。
【００２２】
また、一対の第１係止片部１１の間に形成された第１嵌入溝１２は、前記長辺方向Ｓ３に沿って延設され、第２取付部８が設けられた竪樋支持具３の第２の側部１０と、この第２の側部１０と反対側の側部とにそれぞれ開口して形成されている。また、竪樋支持具３には、第１取付部７の第１嵌入溝１２の長辺方向Ｓ３略中央の内面から短辺方向Ｓ２に沿って延びて貫通する第１貫通孔１３が形成されている。
【００２３】
一方、第２取付部８は、第１取付部７と同様に、竪樋支持具３の厚さ方向Ｓ１両側にそれぞれ配設されるとともに、長辺方向Ｓ３外側に向けて突設された一対の第２係止片部１４と、一対の第２係止片部１４の間に形成された第２嵌入溝１５とで構成されている。また、各第２係止片部１４の先端には、竪樋支持具３の厚さ方向Ｓ１内側に突出した一対の係止片１４ａが設けられ、これにより、竪樋支持具３の第２取付部８は、第１取付部７と同様に、断面略Ｃ字状に形成されている。
【００２４】
さらに、一対の第２係止片部１４の間に形成された第２嵌入溝１５は、前記短辺方向Ｓ２に沿って延設され、第１取付部７が設けられた竪樋支持具３の第１の側部９と、第１の側部９と反対側の側部とにそれぞれ開口して形成されている。また、竪樋支持具３には、第２取付部８の第２嵌入溝１５の短辺方向Ｓ２略中央の内面から長辺方向Ｓ３に沿って延びて貫通する第２貫通孔１６が形成されている。
【００２５】
そして、本実施形態では、上記構成からなる竪樋支持具３と竪樋１の取付リブ２とによって、竪樋の取付構造Ａが構成されている。
【００２６】
次に、竪樋１を住宅などの外壁Ｔに取付る方法について説明するとともに、本実施形態の竪樋支持具３の作用及び効果について説明する。
【００２７】
図１から図３に示すように、竪樋１を住宅などの外壁Ｔに取り付ける際には、はじめに、竪樋支持具３を外壁Ｔの設置面Ｔ１に取り付ける。また、貫通孔１３（１６）にビス（止具）を挿通し、このビスを外壁Ｔに螺入することによって、竪樋支持具３は、一対の係止片部１１（１４）ひいては嵌入溝１２（１５）を外側に向けた状態で外壁Ｔの設置面Ｔ１に固定して設置される。
【００２８】
次に、竪樋１を所定位置に配置するとともに、取付リブ２の係止部５の先端面が一対の係止片部１１（１４）を押圧するようにして、竪樋１を竪樋支持具３の内部に向けて押し込む。このように竪樋１を押し込むと、取付リブ２の係止部５の円弧状の先端面と竪樋支持具３の係止片部１１（１４）が互いに案内し合って一対の係止片部１１（１４）が外側に倒れるように弾性変形し、嵌入溝１２（１５）が拡張する。これにより、嵌入溝１２（１５）を通じて取付リブ２の係止部５が竪樋支持具３の内部に入り込む。
【００２９】
また、このとき、取付リブ２の係止部５が中空状に形成されているため、その先端面を一対の係止片部１１（１４）に押圧させた際、一対の係止片部１１（１４）が弾性変形するとともに、この係止部５が弾性変形する。そして、一対の係止片部１１（１４）の弾性変形量ひいては嵌入溝１２（１５）の拡張量が小さく抑えられた状態でも、取付リブ２の係止部５が弾性変形して、嵌入溝１２（１５）から竪樋支持具３の内部に挿入される。このため、一対の係止片部１１（１４）が大きく弾性変形して破損するようなことがない。
【００３０】
このように取付リブ２の係止部５が竪樋支持具３の内部に挿入されると、取付リブ２の係止部５が竪樋支持具３の一対の係止片部１１（１４）に係止される。これにより、嵌入溝１２（１５）から取付リブ２の係止部５を竪樋支持具３の内部に押し込んで嵌入させるだけで、竪樋１の竪樋支持具３への取付けが行える。
【００３１】
ここで、本実施形態の竪樋の取付構造Ａにおいては、竪樋支持具３に第１取付部７と第２取付部８の２つの取付部７、８が設けられている。そして、図２及び図４に示すように、第１取付部７を外側に向けて外壁Ｔの設置面Ｔ１に竪樋支持具３を配設し、第１貫通孔１３にビスを挿通して外壁Ｔに竪樋支持具３を取り付けた場合には、一対の第１係止片部１１ひいては第１嵌入溝１２を外側に向けた状態で設置される。
【００３２】
一方、図３及び図５に示すように、第２取付部８を外側に向けて外壁Ｔの設置面Ｔ１に竪樋支持具３を配設し、第２貫通孔１６にビスを挿通して外壁Ｔに竪樋支持具３を取り付けた場合には、一対の第２係止片部１４ひいては第２嵌入溝１５を外側に向けた状態で設置される。
【００３３】
そして、第１取付部７を外側に向けて竪樋支持具３を取り付けた場合には、図２及び図４に示すように、竪樋支持具３の奥行き寸法が短辺寸法Ｌ１となり、第２取付部８を外側に向けて竪樋支持具３を取り付けた場合には、図３及び図５に示すように、竪樋支持具３の奥行き寸法が長辺寸法Ｌ２となる。これにより、第１取付部７を外側に向けた場合には、外壁Ｔからの竪樋１の出寸法（Ｌ１）が小さくなり、第２取付部８を外側に向けた場合には、外壁Ｔからの竪樋１の出寸法（Ｌ２）が大きくなる。これにより、一つの竪樋支持具３の設置向きを変えるだけで、２種類の出寸法（Ｌ１、Ｌ２）を設定できる。
【００３４】
また、このとき、図２から図５に示すように、第１の側部９の第１嵌入溝１２が前記長辺方向Ｓ３に沿って延設され、第２の側部１０の第２嵌入溝１５が前記短辺方向Ｓ２に沿って延設されているため、竪樋支持具３を外壁Ｔの設置面Ｔ１に固設する際、第１の側部９に設けられた第１嵌入溝１２を外側に向けて固設した場合と、第２の側部１０に設けられた第２嵌入溝１５を外側に向けて固設した場合とで、ともに竪樋支持具３の厚さ方向Ｓ１を外壁Ｔの設置面Ｔ１に沿う水平方向に向けて竪樋支持具３が取り付けられる。これにより、上記のように竪樋１を所定位置に設置した状態で、竪樋１の背面側に取付リブ２と竪樋支持具３が配設され、竪樋１の出寸法（Ｌ１、Ｌ２）を変えられるように竪樋支持具３を構成したとしても、竪樋支持具３ひいては竪樋の取付構造Ａが確実に竪樋１の背面側に隠れ、外観を損なうことがない。
【００３５】
したがって、本実施形態の竪樋支持具３においては、矩形ブロック状に形成され、長辺方向Ｓ３に延びる第１の側部９に設けられた第１嵌入溝１２と、短辺方向Ｓ２に延びる第２の側部１０に設けられた第２嵌入溝１５の２つの嵌入溝１２、１５のそれぞれに取付リブ２を嵌入して竪樋１を取り付けることができる。そして、竪樋支持具３を外壁Ｔの設置面Ｔ１に固設した際に、第１嵌入溝１２を外側に向けて固設した場合には、竪樋支持具３の奥行き寸法が短辺寸法Ｌ１となり、第２嵌入溝１５を外側に向けて固設した場合には、竪樋支持具３の奥行き寸法が長辺寸法Ｌ２となる。
【００３６】
これにより、外壁Ｔと竪樋１との間隔が異なる場合においても、竪樋支持具３の取り付け向きを変更させることで、一つの竪樋支持具３を用いて２種類の出寸法に対応することができ、外壁Ｔと竪樋１とを所望の間隔に保持した状態で竪樋１を外壁Ｔに支持固定することができる。このため、２種類の製品を１製品で置き換えることができ、従来のように、寸法別に多種類の竪樋支持具３を用意したり、竪樋支持具３と外壁Ｔとの間に設置するスペーサを用意したりする必要がなく、竪樋支持具３の選定や管理にかかる労力を軽減させることができる。
【００３７】
また、第１の側部９の第１嵌入溝１２が前記長辺方向Ｓ３に沿って延設され、第２の側部１０の第２嵌入溝１５が前記短辺方向Ｓ２に沿って延設されている。このため、竪樋支持具３を外壁Ｔの設置面Ｔ１に固設する際、第１の側部９に設けられた第１嵌入溝１２を外側に向けて固設した場合と、第２の側部１０に設けられた第２嵌入溝１５を外側に向けて固設した場合とで、ともに竪樋支持具３の厚さ方向Ｓ１を外壁Ｔの設置面Ｔ１に沿う水平方向に向けて竪樋支持具３を取り付けることができる。これにより、竪樋支持具３の取り付け向きを変更して出寸法（Ｌ１、Ｌ２）を変えた際に、矩形ブロック状の竪樋支持具３の厚さ方向Ｓ１を水平方向の一方向に保つことができるため、外観を損なうことがない。
【符号の説明】
【００３８】
１      竪樋
１ａ    外周面
１ｂ    筒状体
２      取付リブ
３      竪樋支持具
４      軸部
５      係止部
６      中空部
７      第１取付部
８      第２取付部
９      第１の側部
１０    第２の側部
１１    第１係止片部
１１ａ  係止片
１２    第１嵌入溝
１３    第１貫通孔
１４    第２係止片部
１５    第２嵌入溝
１６    第２貫通孔
Ａ      竪樋の取付構造
Ｌ１    短辺寸法（出寸法）
Ｌ２    長辺寸法（出寸法）
Ｏ１    軸
Ｓ１    竪樋支持具の厚さ方向
Ｓ２    竪樋支持具の短辺方向
Ｓ３    竪樋支持具の長辺方向
Ｔ      外壁
Ｔ１    設置面
【図１】
0005543913.tif 000002
【図２】
0005543913.tif 000003
【図３】
0005543913.tif 000004
【図４】
0005543913.tif 000005
【図５】
0005543913.tif 000006